(57)【要約】【課題】着座し易く、優れた座り心地を有するクッションチェアを提供する。【解決手段】クッションチェア１は、使用者が着座する座面２と、座面２に着座する使用者の骨盤部分の側方となる位置に配され、座面２を挟んで起立する一対の側方片部３とを有している。また、クッションチェア１は、着座する使用者の自重によって座面２が下方に沈むと共に一対の側方片部３が互いに近づく方向に移動するよう構成されている。座面２の外周縁部における後方には、座面２の中央部よりも上方に隆起した後方隆起部５を有していてもよい。【選択図】図１
2015077192.tif 000002
【特許請求の範囲】
【請求項１】
使用者が着座する座面と、
上記座面に着座する使用者の骨盤部分の側方となる位置に配され、上記座面を挟んで起立する一対の側方片部とを有しており、
着座する使用者の自重によって上記座面が下方に沈むと共に上記一対の側方片部が互いに近づく方向に移動するよう構成されていることを特徴とするクッションチェア。
【請求項２】
上記座面の外周縁部における後方には、上記座面の中央部よりも上方に隆起した後方隆起部を有していることを特徴とする請求項１に記載のクッションチェア。
【請求項３】
上記座面の外周縁部における前方中央部には、上記座面の中央部よりも上方に隆起した前方隆起部を有していることを特徴とする請求項１または２に記載のクッションチェア。
【請求項４】
上記クッションチェアは、全体が一体に形成されていると共に内部が中空に形成されており、内部に封入する空気の圧力により上記座面の沈み込み量及び上記一対の側方片部の移動量を調整可能に構成されていることを特徴とする請求項１〜３のいずれか１項に記載のクッションチェア。
【請求項５】
少なくとも上記座面及び上記一対の側方片部は、袋体に樹脂ビーズを封入してなるビーズ封入体により構成されていることを特徴とする請求項１〜３のいずれか１項に記載のクッションチェア。
【発明の詳細な説明】
【技術分野】
【０００１】
本発明は、クッションチェアに関する。
【背景技術】
【０００２】
椅子に着座する際の座り心地を向上させるため、椅子の座面にクッションを配設する場合がある。例えば特許文献１には、通気孔を有する空気遮蔽部を内部空間に設けた中空クッションの例が開示されている。この中空クッションは、空気遮蔽部により内部空間が２つの中空部に区画されており、各々の中空部の間を空気が流通可能に構成されている。そのため、外表面の形状が荷重に追随して変形し易く、着座する使用者の臀部とのフィット感を高め、座り心地を向上させることができる。
【先行技術文献】
【特許文献】
【０００３】
【特許文献１】特開２００３−２７５０６５号公報
【発明の概要】
【発明が解決しようとする課題】
【０００４】
しかしながら、従来のクッションは、座り心地の改善という観点から未だ改善の余地があり、着座した状態において使用者が感じるフィット感をより向上させることが望まれている。
【０００５】
本発明は、かかる背景に鑑みてなされたものであり、着座し易く、優れた座り心地を有するクッションチェアを提供しようとするものである。
【課題を解決するための手段】
【０００６】
本発明の一態様は、使用者が着座する座面と、
上記座面に着座する使用者の骨盤部分の側方となる位置に配され、上記座面を挟んで起立する一対の側方片部とを有しており、
着座する使用者の自重によって上記座面が下方に沈むと共に上記一対の側方片部が互いに近づく方向に移動するよう構成されていることを特徴とするクッションチェアにある。
【発明の効果】
【０００７】
上記クッションチェアは、上記座面に着座する使用者の骨盤部分の側方となる位置に配され、上記座面を挟んで起立する一対の側方片部を有している。そして、該側方片部は、着座する使用者の自重によって上記座面が下方に沈むと共に上記一対の側方片部が互いに近づく方向に移動するように構成されている。そのため、上記クッションチェアは、着座する使用者の自重により、着座する使用者の臀部及び腰部を包み込むように上記座面及び一対の側方片部が変形する。その結果、上記クッションチェアは、使用者の臀部の形状に沿うように上記座面が変形するのみであった従来のクッションに比べて、着座した状態において使用者が感じるフィット感を高めやすいものとなる。
【０００８】
また、上記一対の側方片部は、使用者の自重によって互いに近づく方向に移動するよう構成されている。そのため、使用者が着座する前においては、一対の側方片部の間隔が着座後に比べて広くなっており、使用者が上記座面に着座し易くなっている。そして、使用者が着座した後においては、上述したように、使用者の臀部及び腰部を包み込むように変形するため、着座のし易さを確保しつつ、フィット感を高めることが可能となる。
【０００９】
以上のように、上記クッションチェアは、着座し易く、優れた座り心地を有するものとなる。
【図面の簡単な説明】
【００１０】
【図１】実施例１における、クッションチェアの斜視図。
【図２】実施例１における、クッションチェアの正面図。
【図３】実施例１における、クッションチェアの側面図。
【図４】実施例１における、クッションチェアの上面図。
【図５】図２のV−V線矢視断面図。
【図６】図３のVI−VI線矢視断面図。
【図７】実施例２における、袋体に樹脂ビーズを充填してなる隆起部を有するクッションチェアの断面図（図５に相当する断面図）。
【図８】実施例２における、クッションチェアの断面図（図６に相当する断面図）。
【発明を実施するための形態】
【００１１】
上記クッションチェアにおいて、上記座面の外周縁部における後方には、上記座面の中央部よりも上方に隆起した後方隆起部を有していてもよい。この場合には、着座した状態において使用者が感じるフィット感をより高めることができ、上記クッションチェアの座り心地をより良くすることができる。
【００１２】
また、上記座面の外周縁部における前方中央部には、上記座面の中央部よりも上方に隆起した前方隆起部を有していてもよい。この場合には、着座した状態において使用者が感じるフィット感をより高めることができ、上記クッションチェアの座り心地をより良くすることができる。
【００１３】
また、上記クッションチェアは、全体が一体に形成されていると共に内部が中空に形成されており、内部に封入する空気の圧力により上記座面の沈み込み量及び上記一対の側方片部の移動量を調整可能に構成されていてもよい。この場合には、内部に封入する空気の圧力を調整することにより、上記座面の沈み込み量及び上記一対の側方片部の移動量を使用者の体形等に応じて適宜調整することができる。その結果、着座した状態において使用者が感じるフィット感をより高めることができ、上記クッションチェアの座り心地をより良くすることができる。
【００１４】
また、この場合には、クッションチェアを長期間使用しない場合等に、空気を抜いた状態で保管することができる。そのため、使用していない状態のクッションチェアをよりコンパクトにすることができ、クッションチェアをより収納し易くすることができる。
【００１５】
また、少なくとも上記座面及び上記一対の側方片部は、袋体に樹脂ビーズを封入してなるビーズ封入体により構成されていてもよい。この場合には、上記座面及び上記一対の側方片部は、着座する使用者の自重により、使用者の体形に沿うように変形することができる。その結果、着座した状態において使用者が感じるフィット感をより高めることができ、上記クッションチェアの座り心地をより良くすることができる。
【００１６】
また、上記袋体が伸縮性を有していてもよい。この場合には、上記袋体が伸縮することにより上記ビーズ封入体の変形が規制されにくくなり、より大きく変形しやすくなる。その結果、着座した状態において使用者が感じるフィット感をより高めることができ、上記クッションチェアの座り心地をより良くすることができる。
【００１７】
また、上記クッションチェアは、略全体を覆う表皮部を有していてもよい。この場合には、上記クッションチェア自体の摩耗を抑制することができる。また、上記表皮部が着脱自在に装着されている場合には、例えば上記クッションチェアに汚れが付着した際等に、上記表皮部を取り外して洗浄することにより、上記クッションチェアを清潔に保つことが容易となる。
【００１８】
また、上記クッションチェアは、使用者が着座した状態で、接地させた足を基点として腰部を動かすことにより、腰部の動きに追従して上記座面を全方向に傾斜させたり、水平方向に移動させたりすることができるように構成されていても良い。この場合には、上記クッションチェアは、上記座面に着座した使用者が例えば腰部の揺動運動や回転運動、ひねり運動等の体重移動を伴う運動をスムーズに行うための運動補助具として使用することができる。また、かかる運動は、腰部の疲労の軽減や、美容、健康維持のために効果的である。それ故、使用者の腰部の動きに追従して移動可能に構成された上記座面を有するクッションチェアは、椅子としての機能のみならず、運動補助具としても好適に使用できるものとなる。
【００１９】
上記座面を使用者の腰部の動きに追従して移動させる態様としては、種々の態様が考えられる。例えば、使用者が腰部の揺動運動等を行う際に、クッションチェア全体が使用者の動きに追従して変形するように上記クッションチェアが構成されていても良い。このような構成は、例えば、可撓性を有する材料を用いて上記クッションチェアの全体を一体に形成すると共に内部を中空に形成することや、上記クッションチェアを上記ビーズ封入体により構成すること等により実現することができる。
【００２０】
また、底面が略球面形状を呈するように構成されていてもよい。この場合には、上記底面の形状を利用して上記座面を全方向に傾斜させたり、水平方向に移動させたりすることができる。なお、上記底面の形状を指す略球面形状とは、幾何学上定義される完全な球面に限らず、一般的な感覚として球面状と認識される形状を含む概念である。つまり上記底面は、上記座面の全方向への傾動動作をスムーズに行うことが可能な程度であれば、曲率が異なる部位を有していてもよい。例えば、上記底面は、その曲率半径を一様とせず、端縁方向に行くとともに曲率半径を小さくすることや、中心軸に対して回転対称とせず、互いに直交する方向の曲率半径を異なる値とすることなども可能である。
【００２１】
また、上記底面は、略球面形状を呈する揺動補助部と、該揺動補助部の外周縁部を外方に向けて膨出させてなる転がり防止部とを有しており、上記揺動補助部と上記転がり防止部との両方が床面に接触した状態において、上記クッションチェアの姿勢が安定するよう構成されていてもよい。この場合、使用者は、上述したように、揺動補助部の略球面形状を利用して、腰部の揺動運動等を容易に行うことができる。
【００２２】
また、使用者が揺動運動等を行わない場合には、上記揺動補助部と上記転がり防止部との双方を床面に当接させて上記クッションチェアの姿勢を安定させることにより、上記クッションチェアが意図せず傾くことを抑制できる。その結果、上記クッションチェアを単なる椅子として使用する場合の安定感をより向上させることができる。
【００２３】
以上のように、上記揺動補助部と上記転がり防止部との双方を具備したクッションチェアは、椅子としての性能及び運動補助具としての性能の双方に優れたものとなる。
【００２４】
また、上記クッションチェアは、上記底面が、上記座面に着座する使用者の自重によりつぶれて床面との接触面積が増加するよう構成されていてもよい。この場合には、上記底面と床面との接触面積が増大することにより、上記クッションチェアの安定感をより向上させることができる。そのため、椅子としての性能及び運動補助具としての性能の双方により優れたものとなる。
【実施例】
【００２５】
（実施例１）
上記クッションチェアの実施例について、図１〜図６を用いて説明する。図１に示すように、クッションチェア１は、使用者が着座する座面２と、座面２に着座する使用者の骨盤部分の側方となる位置に配され、座面２を挟んで起立する一対の側方片部３とを有している。そして、図６に示すように、クッションチェア１は、着座する使用者の自重によって座面２が下方に沈む（矢印１０１）と共に一対の側方片部３が互いに近づく方向に移動する（矢印１０２）よう構成されている。
【００２６】
図１〜図３に示すように、クッションチェア１は、使用者が着座する座面２と、床面に当接する底面４とが互いに対向して配置されている。また、座面２と底面４との間は、上下方向の中央が外方に膨出するように湾曲する曲面状を呈している。
【００２７】
また、図５及び図６に示すように、クッションチェア１は、座面２を有する座面壁部２１と、底面４を有する底面壁部４１と、座面壁部２１と底面壁部４１とを接続する外周壁部１１とを有しており、これらの壁部１１、２１及び４１により囲まれた内部空間１２が中空に形成されている。そして、底面壁部４１には、内部空間１２に空気を注入または排出するための逆止弁４１１が設けられている。
【００２８】
なお、本例のクッションチェア１における座面壁部２１、底面壁部４１及び外周壁部１１は、可撓性を有する軟質ポリ塩化ビニル樹脂より一体に形成されている。また、これらの壁部の厚みは５．５ｍｍである。
【００２９】
また、図には示さないが、クッションチェア１は、略全体を覆う表皮部を有している。本例の表皮部は布材より構成されており、座面壁部２１、底面壁部４１及び外周壁部１１を覆うように、着脱自在に装着されている。
【００３０】
また、図４に示すように、クッションチェア１は、上面視における形状が略楕円形を呈しており、その内側が座面２を構成している。図５及び図６に示すように、座面２は、その周縁部から中央部に近づくにつれて下方に向かうよう緩やかに傾斜しており、連続した滑らかな曲面を形成している。
【００３１】
本例のクッションチェア１における座面２の高さＨ（図５参照）は、使用者が着座していない状態において約３８０ｍｍである。ここで、座面２の高さＨは、座面２を上方に向け、底面４を下方に向けた状態において測定することにより得られる、座面２の最下点２００と底面４の最下点４２１との間の鉛直方向の距離である。なお、クッションチェア１の座面２の高さＨは、３００〜５００ｍｍの範囲で適宜設定することができる。
【００３２】
図２及び図４に示すように、座面２の外周端縁における側方、すなわち座面２に着座する使用者の骨盤部分に面する位置には、一対の側方片部３が起立している。図３及び図５に示すように、一対の側方片部３は、側面視において、座面２から上方へ向かうにつれて幅が徐々に狭くなるように形成されている。また、図６に示すように、一対の側方片部３における座面２側の面３２と、座面２とは連続した滑らかな曲面を形成している。
【００３３】
図１〜図２及び図４〜図５に示すように、座面２の外周縁部における後方には、座面２の中央部よりも上方に隆起した後方隆起部５が設けられている。後方隆起部５は、一対の側方片部３の間を接続するように配されている。
【００３４】
また、座面２の外周縁部における前方中央部には、座面２の中央部よりも上方に隆起した前方隆起部６が設けられている。図２及び図４に示すように、前方隆起部６はクッションチェア１の側方方向における中央位置１３上に配されている。また、図５に示すように、前方隆起部６は前方に向かうにつれて周囲より次第に隆起するよう形成されている。
【００３５】
図３及び図５に示すように、底面４は、略球面形状を呈する揺動補助部４２と、揺動補助部４２の外周縁部を外方に向けて膨出させてなる転がり防止部４３とを有している。そして、後述するように、揺動補助部４２と転がり防止部４３との両方が床面に接触した状態において、クッションチェア１の姿勢が安定するよう構成されている。
【００３６】
揺動補助部４２は、底面４の前方に配置されている。また、揺動補助部４２の最下点４２１は、座面２を上方に向けた状態において、転がり防止部４３よりも下方となる位置に配されている。
【００３７】
転がり防止部４３は、揺動補助部４２よりも後方に配置されており、揺動補助部４２の外周縁部４２２から後方に向けて延出し、外周壁部１１に接続されている。また、図６に示すように、転がり防止部４３は、正面視において、側方方向の両端４３１から内側へ近づくにつれて下方に向かうように湾曲した曲面状を呈している。
【００３８】
本例のクッションチェア１は、揺動補助部４２と、転がり防止部４３との両方が床面と接触するようにしてクッションチェア１を床面に設置することができる。これにより、座面２が上方を向いた状態でクッションチェア１の姿勢を安定させることができる。
【００３９】
また、クッションチェア１は、底面４が、座面２に着座する使用者の自重によりつぶれて床面との接触面積が増加するよう構成されている。
【００４０】
次に、本例のクッションチェア１の作動の一例について説明する。本例のクッションチェア１は、可撓性を有する樹脂より構成された座面壁部２１、底面壁部４１及び外周壁部１１を有していると共に、これらの壁部２１、４１及び１１に囲まれた内部空間１２が中空に形成されている。そのため、座面２に使用者が着座する際には、その自重により、以下の変形が同時に生じる。
【００４１】
図５及び図６に示すように、座面２は、使用者の自重により座面２が下方へ向けて沈み込むように変形する（矢印１０１）。また、一対の側方片部３が座面２に連なっているため、座面２の沈み込み（矢印１０１）に伴って、一対の側方片部３が内側へ向けて撓み、使用者の腰部側に移動する（矢印１０２）。さらに、内部空間１２に封入された空気の圧力と着座する使用者の自重とを均衡させるように、外周壁部１１が外方へ向けて膨出する（矢印１０３）とともに、側方片部３における座面２側の面３２が内方へ向けて膨出する。
【００４２】
また、本例のクッションチェア１は、逆止弁４１１を介して内部空間１２に封入された空気の圧力を調整することにより、座面２の沈み込み量及び側方片部３の移動量を調整することができる。すなわち、座面２の沈み込み量及び側方片部３の移動量を小さくしたい場合には、内部空間１２に封入された空気の圧力を予め高くしておけば良い。逆に、座面２の沈み込み量及び側方片部３の移動量を大きくしたい場合には、内部空間１２に封入された空気の圧力を予め低くしておけば良い。
【００４３】
このように、本例のクッションチェア１は、全体が一体に形成されていると共に内部が中空に形成されている。そして、内部に封入する空気の圧力により座面２の沈み込み量及び一対の側方片部３の移動量を調整可能に構成されている。
【００４４】
次に、クッションチェア１の作用効果について説明する。図１に示すように、クッションチェア１は、座面２に着座する使用者の骨盤部分の側方となる位置に配され、座面２を挟んで起立する一対の側方片部３を有している。そして、図５及び図６に示すように、側方片部３は、着座する使用者の自重によって座面２が下方に沈むと共に一対の側方片部３が互いに近づく方向に移動するように構成されている。そのため、クッションチェア１は、着座する使用者の臀部及び腰部を包み込むように変形することにより、着座した状態において使用者が感じるフィット感を容易に高めることができるものとなる。
【００４５】
また、一対の側方片部３は、使用者の自重によって互いに近づく方向に移動するよう構成されている。そのため、着座のし易さを確保しつつ、フィット感を高めることが可能となる。
【００４６】
また、図４に示すように、座面２の外周縁部における後方には、座面２の中央部よりも上方に隆起した後方隆起部５を有している。そして、座面２の外周縁部における前方中央部には、座面２の中央部よりも上方に隆起した前方隆起部６を有している。これらの隆起部５及び６を有することにより、着座した状態において使用者が感じるフィット感をより高めることができ、クッションチェア１の座り心地をより良くすることができる。
【００４７】
また、図５及び図６に示すように、クッションチェア１は、全体が一体に形成されていると共に内部が中空に形成されており、内部に封入する空気の圧力により座面２の沈み込み量及び一対の側方片部３の移動量を調整可能に構成されている。そのため、内部に封入する空気の圧力を調整することにより、着座した状態において使用者が感じるフィット感をより高めることができる。その結果、クッションチェア１の座り心地をより良くすることができる。
【００４８】
また、クッションチェア１は、略全体を覆う表皮部を有している。そのため、クッションチェア１自体の摩耗を抑制することができると共に、クッションチェア１を清潔に保つことが容易となる。
【００４９】
また、本例のクッションチェア１は、可撓性を有する材質を用いて全体が一体に形成されていると共にその内部空間１２が中空に形成されている。かかる構成を有することにより、使用者が着座した状態において腰部の揺動運動等を行う際に、クッションチェア１全体を使用者の動きに追従して変形させることができ、座面２を使用者の腰部の動きに追従して移動させることができる。その結果、上記クッションチェア１は、椅子としての機能のみならず、運動補助具としても好適に使用できるものとなる。また、使用していない状態のクッションチェア１をよりコンパクトにすることができ、クッションチェア１をより収納し易くすることができる。
【００５０】
また、底面４は、略球面形状を呈する揺動補助部４２と、揺動補助部４２の外周縁部を外方に向けて膨出させてなる転がり防止部４３とを有しており、揺動補助部４２と転がり防止部４３との両方が床面に接触した状態において、クッションチェア１の姿勢が安定するよう構成されている。そのため、使用者は、上述したように、揺動補助部４２の略球面形状を利用して、腰部の揺動運動等を容易に行うことができる。また、クッションチェア１を単なる椅子として使用する場合の安定感をより向上させることができる。
【００５１】
つまり、本例のクッションチェア１は、座面２の高さＨが約３８０ｍｍであり、一般的な椅子と同等の座面２の高さＨを有しているため、使用者の腰部の位置が床面から高くなり、重心が高くなりやすい。そのため、例えば転がり防止部４３を設けず、揺動補助部４２のみとする場合にはクッションチェア１を単なる椅子として使用する場合の安定感が不十分となる恐れがある。一方、本例のように、揺動補助部４２と転がり防止部４３とを共に設けることにより、かかる問題を回避でき、クッションチェア１を単なる椅子として使用する場合の安定感をより向上させることができる。
【００５２】
また、クッションチェア１は、底面４が、座面２に着座する使用者の自重によりつぶれて床面との接触面積が増加するよう構成されている。そのため、クッションチェア１は、椅子としての性能及び運動補助具としての性能の双方により優れたものとなる。
【００５３】
以上のように、クッションチェア１は、着座し易く、優れた座り心地を有するものとなる。
【００５４】
（実施例２）
本例は、ビーズ封入体７を用いてクッションチェア１を構成した例である。図７及び図８に示すように、本例のクッションチェア１は、実施例１と略同一の外形を呈している。
【００５５】
本例のクッションチェア１は、布材より構成された表皮部８を有している。図７及び図８に示すように、表皮部８の内部は、仕切り材部８１により、座面２及び底面４を有する本体部室８２と、座面２の外周端縁における側方に配され、側方片部３をそれぞれ構成する一対の側方片部室８３との３つの部屋に区画されている。そして、本体部室８２及び一対の側方片部室８３には、袋体７１に樹脂ビーズ７２を封入してなるビーズ封入体７が配置されている。
【００５６】
このように、本例のクッションチェア１の座面２及び一対の側方片部３は、袋体７１に樹脂ビーズ７２を封入してなるビーズ封入体７により構成されている。また、ビーズ封入体７に用いた袋体７１は、伸縮性を有している。その他は実施例１と同様である。
【００５７】
このように、座面２及び一対の側方片部３を、袋体７１に樹脂ビーズ７２を封入してなるビーズ封入体７により構成した場合にも、着座した状態において使用者が感じるフィット感をより高めることができ、クッションチェア１の座り心地をより良くすることができる。
【００５８】
また、袋体７１が伸縮性を有していることにより、ビーズ封入体７の変形が規制されにくくなり、より大きく変形しやすくなる。その結果、着座した状態において使用者が感じるフィット感をより高めることができ、クッションチェア１の座り心地をより良くすることができる。その他、実施例１と同様の作用効果を奏することができる。
【００５９】
なお、実施例１及び２には、着座する使用者の自重によりクッションチェア１全体が変形するように構成した例を示したが、例えば座面２及び一対の側方片部３のみが自重により変形するよう構成してもよい。かかる構成としては、例えば、硬質発泡ウレタン等の自重により変形しにくい材質を用いて底面４及びその近傍部を形成すると共に、可撓性を有する材料を用いて座面２近傍及び一対の側方片部３を中空に形成する等の構成が考えられる。
【符号の説明】
【００６０】
１  クッションチェア
２  座面
３  側方片部
【図１】
2015077192.tif 000003
【図２】
2015077192.tif 000004
【図３】
2015077192.tif 000005
【図４】
2015077192.tif 000006
【図５】
2015077192.tif 000007
【図６】
2015077192.tif 000008
【図７】
2015077192.tif 000009
【図８】
2015077192.tif 000010